(57)【要約】【課題】ウォーキングの履歴を管理してウォーキングの促進を図る支援システムであって、参加者が一層簡便に参加でき、しかも、より低コストで且つ簡単に構築し得るウォーキング支援システムを提供する。【解決手段】ウォーキング支援システムは、会員が所持する携帯記録素子（１）と、歩行履歴、携帯記録素子（１）のコード、歩行コース（８）の情報を登録するデータベース（２）と、登録された歩行履歴および還元ポイントを公開するウエブサーバー（３）と、歩行コース（８）内に設置されるデータ書込み装置（４）と、歩行コース（８）内に設置されるデータ読取り装置（５）と、読み取ったデータ書込み装置（４）及び携帯記録素子（１）の各コードをデータベース（２）に送信する送信手段（６）とから構成される。データベース（２）は、送信された上記の各コードと歩行コース（８）の情報とに基づいて歩行履歴を作成する。【選択図】図１
2007275281.tif 000002
【特許請求の範囲】
【請求項１】
ウォーキングの促進を図るためのウォーキング支援システムであって、ウォーキングに参加する会員が所持する携帯記録素子と、会員の固有情報、歩行履歴、携帯記録素子のコード、および、予め設定した歩行コースの情報を登録し、かつ、歩行履歴に応じて還元ポイントを演算して登録するデータベースと、当該データベースに登録された歩行履歴、還元ポイントをインターネット上で会員に公開するウエブサーバーと、前記歩行コース内に設置され且つ歩行記録としてそのコードを携帯記録素子に書き込むデータ書込み装置と、前記歩行コース内に設置され且つ携帯記録素子のコード及び当該携帯記録素子に書き込まれた前記データ書込み装置のコードを読み取るデータ読取り装置と、当該データ読取り装置で読み取った前記データ書込み装置および携帯記録素子の各コードをインターネットを介して前記データベースに送信する送信手段とから構成され、前記データベースには、前記送信手段から送信された前記各コードと登録された歩行コースの情報とに基づき、会員ごとに歩行履歴を作成する機能が備えられていることを特徴とするウォーキング支援システム。
【発明の詳細な説明】
【技術分野】
【０００１】
本発明は、ウォーキング支援システムに関するものであり、詳しくは、歩行履歴を管理することによりウォーキングに対する意欲を喚起し、ウォーキングの一層の促進を図るウォーキング支援システムに関するものである。
【背景技術】
【０００２】
昨今、ウォーキング等の運動を通じて健康維持を図るため、ウェブサイトで個人の運動履歴を管理することにより、運動継続の意欲を喚起する様にした支援システムが「健康機器」、「健康ポイントバンクシステム」として提案されている。斯かる支援システムは、例えばウォーキングに適用され、特定の歩数計をそのユーザーに携行させ、ネットワークを介してサーバーに歩行履歴を蓄積する様になされている。
【０００３】
上記の支援システムでは、先ず、ユーザー（ウォーキング参加者）が歩数計を購入し、パソコンからネットワークを介してサーバーにアクセスし、歩数計に予め付与された識別番号を使用してユーザー登録を行う。歩数計は、位置および移動を検知するＧＰＳセンサー、加速度を検知する加速度センサー、プログラムが格納されたプログラム部（メモリー）、および、その日の合計歩数を表示する表示部を備え、各センサーの信号に基づいて演算した合計歩数、活動開始時刻、終了時刻および活動時間を表示、記憶すると共に、歩数をポイント換算する様になされている。
【０００４】
そこで、ユーザーは、歩数計を所持してウォーキングを行った場合、その歩行履歴をサーバーに登録する。歩行履歴の登録においては、歩数計に記録された上記の合計歩数、活動時間および換算されたポイントの各データを一旦パソコンに取り込んだ後、ネットワークを介して前記の各データをサーバーに登録する。これにより、ユーザーは、サーバーのポイント交換サイトに接続し、自己の累積ポイントに応じて商品やサービスの提供を受けることが出来る。
【特許文献１】特開２００３−１４１２６０号公報
【発明の開示】
【発明が解決しようとする課題】
【０００５】
ところで、上記の様な支援システムは、高機能の歩数計を参加者であるユーザーが予め各自で購入しなければならないため、ユーザーの経済的負担が大きく、更に、歩行履歴の登録もユーザーがパソコンを操作して自ら行わなければならないため、ユーザー側の手間も大きい。また、昨今の「ウォーキング」は、各種の団体で小規模なサークル活動として実施されたり、あるいは、各種の場所で短期のイベントとして行われることも多くなっているが、上記の理由から、団体やイベントごとに個別にシステムを構築し難いと言う問題がある。
【０００６】
本発明は、上記の実情に鑑みてなされたものであり、その目的は、ウォーキングの履歴を管理することによりウォーキングに対する意欲を喚起し、ウォーキングの促進を図る支援システムであって、参加者である会員が一層簡便に参加でき、しかも、より低コストで且つ簡単に構築し得るウォーキング支援システムを提供することにある。
【課題を解決するための手段】
【０００７】
本発明は、ウォーキングに参加する会員の経済的負担を軽減し、かつ、歩行記録の登録の手間を無くすため、ＩＣカード等のより簡便な携帯記録素子を会員に所持させると共に、歩行コースの途中にデータ書込み装置を設置し、ウォーキングの際、会員が所持する携帯記録素子に通過地点のデータ書込み装置のコードだけを記録し、歩行コースの終了地点などのデータ吸上げ地点に設置したデータ読取り装置により携帯記録素子のコード及び当該携帯記録素子に書き込まれたデータ書込み装置のコードを読み取り、読み取った２種のコードだけをデータ読取り装置に併設の送信手段からインターネットを介してデータベースへ送信する様にした。そして、データベースにおいて、２種のコード及び予め登録された歩行コースの情報から会員ごとに歩行履歴を作成し、還元ポイントを演算すると共に、歩行履歴および還元ポイントをウエブサーバーによりインターネット上で会員に公開する様にした。
【０００８】
すなわち、本発明の要旨は、ウォーキングの促進を図るためのウォーキング支援システムであって、ウォーキングに参加する会員が所持する携帯記録素子と、会員の固有情報、歩行履歴、携帯記録素子のコード、および、予め設定した歩行コースの情報を登録し、かつ、歩行履歴に応じて還元ポイントを演算して登録するデータベースと、当該データベースに登録された歩行履歴、還元ポイントをインターネット上で会員に公開するウエブサーバーと、前記歩行コース内に設置され且つ歩行記録としてそのコードを携帯記録素子に書き込むデータ書込み装置と、前記歩行コース内に設置され且つ携帯記録素子のコード及び当該携帯記録素子に書き込まれた前記データ書込み装置のコードを読み取るデータ読取り装置と、当該データ読取り装置で読み取った前記データ書込み装置および携帯記録素子の各コードをインターネットを介して前記データベースに送信する送信手段とから構成され、前記データベースには、前記送信手段から送信された前記各コードと登録された歩行コースの情報とに基づき、会員ごとに歩行履歴を作成する機能が備えられていることを特徴とするウォーキング支援システムに存する。
【発明の効果】
【０００９】
本発明のウォーキング支援システムによれば、歩行コース内のデータ書込み装置のコードだけを会員の携帯記録素子に記録し、携帯記録素子のコードと記録されたデータ書込み装置のコードだけを歩行コース内のデータ読取り装置で読み取ってデータベースへ送信し、データベースにおいて歩行履歴を作成して還元ポイントを演算し、会員ごとに歩行履歴および還元ポイントをウエブサーバーで公開するため、会員が所持する携帯記録素子を簡素化してコストダウンを図ることが出来、会員によってデータベースへ歩行記録を登録する手間を無くすことが出来る。従って、本発明によれば、会員は簡便にウォーキングに参加でき、主催者は低コストで且つ簡単にシステムを構築でき、ウォーキングの一層の促進を図ることが出来る。
【発明を実施するための最良の形態】
【００１０】
本発明に係るウォーキング支援システムの一実施形態を図面に基づいて説明する。図１は、本発明に係るウォーキング支援システムの概要を示す説明図である。なお、以下の説明においては、ウォーキング支援システムを「支援システム」と略記する。
【００１１】
本発明の支援システムは、歩行履歴を管理することによりウォーキングに対する意欲を喚起し、これにより、ウォーキングの一層の促進を図るためのシステムである。本発明の支援システムは、図１に示す様に、ウォーキングに参加する会員が所持する携帯記録素子（１）と、会員の固有情報、歩行履歴、携帯記録素子（１）のコード、歩行コース（８）の情報および還元ポイントを管理するデータベース（２）と、当該データベースに登録された歩行履歴、還元ポイントをインターネット上で会員に公開するウエブサーバー（３）と、歩行コース（８）内に設置されるデータ書込み装置（４）と、歩行コース（８）内に設置されるデータ読取り装置（５）と、当該データ読取り装置で読み取ったデータをデータベース（２）に送信する送信手段（６）とから主に構成される。
【００１２】
ウォーキングに参加する会員は、システム利用者としてその固有情報がデータベース（２）に登録されるが、会員の固有情報の１つとして、所持する携帯記録素子（１）のコードが登録される。携帯記録素子（１）としては、歩行中の携行に支障がなく且つ後述するデータ書込み装置（４）のコードを読み書き可能な情報記録部を備えている限り、携帯電話やＰＨＳ等の通信機器の記録素子（メモリ部）、カード型の情報記録媒体などの各種形態の素子を使用することが出来る。斯かる素子としては、例えば、プラスチック製カードに薄い半導体集積回路（ＩＣチップ）を埋め込み、回路のメモリに情報を記録できる様にしたＩＣカードやＩＣタグが挙げられる。特に、歩行時の携帯性の観点からは、首から吊り下げることの出来るＩＣカードやＩＣタグが好ましく、微弱な電波を利用してデータ書込み装置（４）及びデータ読取り装置（５）と交信可能なアンテナ内蔵の非接触式が好ましい。
【００１３】
上記のデータベース（２）は、ウォーキングに参加する会員、すなわち、ウォーキングを実施する各種団体に加入する会員、あるいは、ウォーキングのイベントに参加する会員の固有情報を登録する様になされている。会員の固有情報としては、氏名、住所、参加団体名または参加イベント名などの個人を特定するのに必要な情報が挙げられる。そして、固有情報には、会員が所持する上記の携帯記録素子（１）の固有のコードが含まれる。
【００１４】
データベース（２）は、主催者が予め設定した歩行コース（８）を登録可能に構成される。具体的には、歩行コース（８）の名称、歩行コース（８）の距離、ならびに、歩行コース（８）の途中に設置される各データ書込み装置（４）の固有のコード、歩行コース（８）内の例えば終了地点に設置されるデータ読取り装置（５）の固有のコードを登録する様になされている。換言すれば、本発明の支援システムにおいては、主催者が上記の各情報（歩行コース（８）の名称、距離、データ書込み装置（４）及びデータ読取り装置（５）の各コード）を登録することによりデータベース（２）上で歩行コースを設定することが出来る。
【００１５】
更に、データベース（２）は、会員ごとに歩行履歴、例えば、歩行コース（８）の名称と距離、歩行日時、所要時間、および、累積歩行距離を登録可能になされている。上記の歩行履歴は、データベース（２）に搭載されたプログラムによって作成される。すなわち、データベース（２）は、後述する様に、送信手段（６）を介して送信された各コード（会員が所持する携帯記録素子（１）のコード及び携帯記録素子（１）に歩行記録として書き込まれたデータ書込み装置（４）のコード）と、予め登録された上記の歩行コース（８）に関する情報とに基づき、会員ごとに歩行履歴を作成する機能を備えている。
【００１６】
しかも、本発明においては、会員のウォーキングに対する継続意欲を喚起するため、上記のデータベース（２）は、作成した歩行履歴に応じて還元ポイントを演算し、これを会員の固有情報の１つとして各会員ごとに登録する機能を備えている。なお、還元ポイントは、歩行履歴に応じてランク付けを行い、ランクアップするごとに更に加算する様にしてもよい。そして、斯かる還元ポイントは、歩行履歴の蓄積およびポイントの利用実績（特典利用実績）により、加減計算される様に設定される。
【００１７】
ウエブサーバー（３）は、上記のデータベース（２）に登録された歩行履歴、還元ポイント及び当該還元ポイントに応じた特典をインターネット上で会員に公開する機能を備えている。具体的には、ウエブサーバー（３）は、携帯記録素子（１）の登録と共に各会員に振り当てられたＩＤ（会員コード）及びパスワードを使用し、その会員の履歴欄を閲覧し得る様に構成される。そして、履歴欄では、これまでにその会員が歩いた歩行コース（８）名、歩行日、所要時間、歩行距離、現在までの累計歩行距離、還元ポイント、ならびに、還元ポイントに応じた各種サービスや景品などの特典が閲覧でき、特典を選択できる様になされている。
【００１８】
また、ウエブサーバー（３）の履歴欄は、ウォーキングや健康に関する情報、旅行やイベントの割引情報などの関連情報を提供する様に構成されてもよい。更に、ウエブサーバー（３）においては、会員間での競争意識を高めるため、歩行距離などに関してランキング付けを行い、これを公開する様にしてもよい。
【００１９】
ウォーキングの対象となる実際の歩行コース（８）には、設定されたコースを会員が辿ったことを記録するため、その固有のコードを歩行記録として携帯記録素子（１）に書き込むデータ書込み装置（４）が設置される。データ書込み装置（４）としては、携帯記録素子（１）にデータ（データ書込み装置（４）の固有の機器コード）を書き込むことが出来る限り、磁気方式、光方式、電波方式などの各種の書込み装置を採用できるが、操作を簡便にするため、電波を利用して携帯記録素子（１）と通信可能なアンテナ内蔵の非接触式のものが好ましい。
【００２０】
具体的には、上記のデータ書込み装置（４）としては、携帯記録素子（１）が例えば非接触式のＩＣカードやＩＣタグの場合、ＩＣカード又はＩＣタグを識別して書き込み操作を制御するプロセッサ及びキャッシュ、制御用ファームウエア及び固有の機器コードが書き込まれた不揮発性メモリ、電源部、および、送受信回路と内蔵アンテナから主として構成されたＩＣライターが使用される。なお、ＩＣライターは、通常、ＩＣリーダー／ライターとして構成されており、後述のデータ読取り装置（５）としても使用できる。
【００２１】
また、歩行コース（８）内のデータ吸上げ地点として設定された場所、例えば、片道コースでは終了地点、周回コースではコース内の１箇所には、携帯記録素子（１）のコード及び当該携帯記録素子に書き込まれたデータ書込み装置（４）のコードを読み取るデータ読取り装置（５）が設置される。データ読取り装置（５）は、その基本的な装置構成はデータ書込み装置（４）と同様であり、携帯記録素子（１）から読み取ったデータをキャッシュに一時的に保存する機能を備えている点がデータ書込み装置（４）と異なる。データ読取り装置（５）も、データ書込み装置（４）と同様に、各種の方式のものを採用し得るが、利便性の観点から、電波を利用して携帯記録素子（１）と通信可能な非接触式のものが好ましい。
【００２２】
具体的には、データ読取り装置（５）としては、携帯記録素子（１）が例えば非接触式のＩＣカードの場合、前述のＩＣライターと同様に構成されたＩＣリーダーが使用される。そして、データ読取り装置（５）においては、データ書込み装置（４）のコード、すなわち、歩行コース（８）の途中で携帯記録素子（１）に書き込まれたデータ書込み装置（４）のコードを読み取った後に消去する機能（書込み機能）が備えられている。上記のデータ書込み装置（４）及びデータ読取り装置（５）は、歩行コース（８）上の例えば公園や街中に支持スタンドを立設して単独で設置したり、あるいは、他の施設や器具を利用して設置することが出来る。例えば、公園の歩道に敷設された外灯の支柱に取り付けたり、コンビニエンスストア等の店頭の飲料水自動販売機に取り付けることも出来る。
【００２３】
更に、歩行コース（８）の終了地点には、データ読取り装置（５）で読み取ったデータ書込み装置（４）及び携帯記録素子（１）の各コードをインターネットを介してデータベース（２）に送信する送信手段（６）が上記のデータ読取り装置（５）と共に設けられる。上記の送信手段（６）としては、インターネットに接続可能で且つデータ読取り装置（５）のデータを必要に応じてインターネットプロトコルに変換して送信可能な通信装置であれば、各種の装置を使用できる。斯かる送信手段（６）としては、例えば、携帯電話、ＰＨＳ等の移動電話に接続された携帯型のコンピュータや、店舗などに設置されたインターネットに接続可能な既設のコンピュータが利用可能である。
【００２４】
次に、本発明に係る支援システムの運用方法および効果について説明する。例えば１つのイベントとしてウォーキングを実施する場合、先ず、ウォーキングを実施する歩行コース（８）（歩行ルート）が決定されると、データ書込み装置（４）として、例えばＩＣライターが歩行コース（８）の途中に適当な距離を隔てて複数設置される。また、データ読取り装置（５）として、例えばＩＣリーダーが歩行コース（８）の終了地点などに設置される。そして、イベント名、実施場所、実施期間などの情報と共に、歩行コース（８）のデータ、すなわち、歩行コース（８）の距離、設置されたＩＣライター及びＩＣリーダーのコードがデータベース（２）に登録される。
【００２５】
他方、データベース（２）には、イベントへの参加者が支援システムの利用会員として登録される。その場合、会員の固有情報と共に、その会員が使用する携帯記録素子（１）である例えばＩＣカードの個別のコードも登録され、そして、コードの登録されたＩＣカードが各会員に配布される。あるいは、会員の固有情報と共に、予め参加予定者に配布されたＩＣカードのコードが登録される。
【００２６】
イベントが開始されると、各会員（参加者）は、設定された歩行コース（８）を出発地点から終了地点へ向けて歩行する。歩行コース（８）の途中においては、予め設置されたＩＣライターに対し、所持しているＩＣカードを近接させ、ＩＣカードにＩＣライターの固有のコードを記録する。すなわち、各会員は、歩行中、決められた歩行コース（８）を辿った記録として、各ＩＣライターのコードをＩＣカードに順次に記録してゆく。そして、歩行コース（８）の終了地点などのデータ吸上げ地点に到着した際、各会員は、データ吸上げ地点に設置されたＩＣリーダーに対し、所持しているＩＣカードを近接させ、ＩＣカードのコード及び当該ＩＣカードに記録された各ＩＣライターのコードをＩＣリーダーに読み取らせる。
【００２７】
データ吸上げ地点としての終了地点には、送信手段（６）として、例えばインターネット接続されたコンピュータが設けられており、ＩＣリーダーで読み取られたデータ（ＩＣカードのコード及び各ＩＣライターのコード）は、前記のコンピュータからインターネットを介してデータベース（２）へ送信される。
【００２８】
これに対し、データベース（２）は、前述の歩行履歴の作成機能を備えられており、データベース（２）においては、送信手段（６）から送信されたデータ（ＩＣカードのコード及び各ＩＣライターのコード）と予め登録された歩行コース（８）の情報とに基づき、会員ごとに歩行履歴（歩行コース（８）の名称、距離、歩行日時、所要時間）を作成し、当該歩行履歴を会員情報の１つとして登録する。更に、過去に歩行履歴のある会員に対しては、累積歩行距離を算出してこれを登録する。また、データベース（２）においては、歩行履歴に応じて還元ポイントを演算し、これを会員情報の１つとして登録する。なお、過去に還元ポイントが登録されている場合には累積ポイントも演算して登録する。
【００２９】
本発明の支援システムにおいては、データベース（２）に登録された上記の歩行履歴、還元ポイント及び特典がインターネット上のウエブサーバー（３）により各会員に公開される。従って、イベント終了後、各会員は、自宅のコンピュータ（７）や携帯端末から上記のウエブサーバー（３）に接続することにより、各自の歩行履歴、すなわち、自ら踏破した歩行コース（８）の名称、その距離、歩行日時、所要時間を直ちに確認することが出来る。しかも、過去の歩行履歴と共に、累積された換言ポイントを確認でき、また、還元ポイントに応じた各種の特典も確認、選択することが出来る。これにより、各会員は、ウォーキングに対する楽しみとウォーキングを継続する意欲を喚起される。
【００３０】
上記の様に、本発明のウォーキング支援システムは、会員が所持する携帯記録素子（１）に対し、歩行コース（８）内のデータ書込み装置（４）のコードだけを記録し、携帯記録素子（１）のコードと記録されたデータ書込み装置（４）のコード、すなわち、２種のコードだけを歩行コース（８）の終了地点などのデータ吸上げ地点に設置されたデータ読取り装置（５）で読み取ってデータベース（２）へ送信し、データベース（２）において歩行履歴を作成し、また、還元ポイントを演算し、会員ごとに歩行履歴および還元ポイントをウエブサーバー（３）で公開する。従って、本発明のウォーキング支援システムによれば、会員が所持する携帯記録素子（１）は極めて小容量の記録機能を備えた素子で十分であり、携帯記録素子（１）をより簡素化してコストダウンを図ることが出来、しかも、会員自らデータベース（２）へ歩行記録を登録する必要もない。その結果、本発明によれば、会員はより簡便にウォーキングに参加でき、主催者は低コストで且つ簡単にシステムを構築でき、そして、ウォーキングの一層の促進を図ることが出来る。
【００３１】
なお、本発明においては、複数のウォーキング活動や複数のウォーキングイベントに対し、１つの共通のデータベース（２）を使用して管理することも出来る。また、本発明によれば、簡単なコードを取扱うシンプルな装置構成のデータ書込み装置（４）及びデータ読取り装置（５）を設置するだけで歩行コース（８）を容易に設定できるため、所望の場所で一時的なイベントとしてウォーキングを実施することが出来る。
【図面の簡単な説明】
【００３２】
【図１】本発明に係るウォーキング支援システムの概要を示す説明図である。
【符号の説明】
【００３３】
１：携帯記録素子
２：データベース
３：ウエブサーバー
４：データ書込み装置
５：データ読取り装置
６：送信手段
７：コンピュータ
８：歩行コース
【図１】
2007275281.tif 000003